(57)【要約】      （修正有）【課題】複数の中箱を収納することができ、しかも各中箱を個別に取り出すことが可能で、中箱を収納物ごとに個別に利用することができるスライドケースを提供する。【解決手段】一方の側面に開口部１１を設けた外箱１０を設ける。外箱１０の開口部１１の下端部に支点を設けて揺動自在に連結され、外箱１０内部に収納したときに外箱１０の開口部１１を施蓋する中箱２０を設ける。外箱１０の開口部１１の下端部に横並びに設けられた揺動自在な連結片１２が複数個の支点として設ける。連結片１２を複数個の中箱２０の各支点位置に開口された連結孔２１に挿入して各中箱２０を揺動自在に連結する。外箱１０から各中箱２０の上部を引き出して開口部１１を開いたときに各中箱２０が外箱１０開口部１１の上端部に係止するように設ける。【選択図】図１
0003136547.tif 000002
【実用新案登録請求の範囲】
【請求項１】
一方の側面に開口部を設けた外箱と、該外箱の開口部の下端部に支点を設けて揺動自在に連結され、外箱内部に収納したときに外箱の開口部を施蓋する中箱とからなるスライドケースにおいて、外箱の開口部の下端部に横並びに設けられた揺動自在な連結片が複数個の支点として設けられ、該連結片を複数個の中箱の各支点位置に開口された連結孔に挿入して各中箱を揺動自在に連結し、外箱から各中箱の上部を引き出して開口部を開いたときに各中箱が外箱開口部の上端部内側に設けた係止片に係止するように設けたことを特徴とするスライドケース。
【請求項２】
前記係止片は、前記外箱の開口部上端から開口部内部方向に屈曲延長され、一方、前記中箱において前記連結孔を設けた同側縁の対極位置に係合片が突設され、外箱から各中箱の上部を引き出して開口部を開いたときに該係合片が外箱の係止片に係脱自在に係止するように設けた請求項１記載のスライドケース。
【請求項３】
前記外箱と前記中箱とは、外箱用ブランクと中箱用ブランクとがそれぞれ折畳まれることで形成され、前記連結片と前記係止片とは外箱用ブランクに形成され、前記係合片は中箱用ブランクに形成された請求項１又は２記載のスライドケース。
【請求項４】
前記中箱は、略帯状の底板と、該底板の長手両側縁から屈曲延長された略扇状の前後側板と、底板の一端から略直角上方に位置し前後側板のいずれか一方の一端部から屈曲延長された側板と、前後側板の他方の一端部から延長されたのりしろ片とからなり、のりしろ片を側板に接着して該側板に対向する側面から上面にかけて開口した中箱を形成し、側板の下端部に前記連結孔を開口すると共に、側板の上端部に前記係合片を延長形成した請求項１乃至３いずれか記載のスライドケース。
【請求項５】
前記外箱は、略矩形状の天板と、該天板の前後側縁から屈曲延長された前後側板と、該前後側板のいずれか一方の下端縁から延長された底板と、前後側板の他方の下端縁から延長されたのりしろ片とからなり、のりしろ片を底板に接着して少なくとも一方の側面に開口部を有する外箱が形成され、天板の開口部がわに前記係止片を屈曲延長し、底板の開口部がわに前記連結片を横並びに形成した請求項１乃至４いずれか記載のスライドケース。
【請求項６】
前記外箱は、前記天板の一端から下方に延長され前記開口部に対向する側面がわに傾斜する上部側板と、該上部側板の傾斜に沿った形状の前後側板と、該前後側板のいずれか一方の一端部から屈曲延長され上部側板の下端部に重合する下部側板と、前後側板の他方の一端部から屈曲延長され下部側板を係止する係止舌片とを有し、該係止舌片を下部側板に係止して上部側板と下部側板とを固定することで、外箱内に収納した前記中箱の開口した側面から上面に沿って囲むように設けられた請求項１乃至５いずれか記載のスライドケース。
【考案の詳細な説明】
【技術分野】
【０００１】
本考案は、紙箱で形成された外箱と中箱とで構成されるスライドケースに係り、外箱内に揺動自在に収納された複数個の中箱を、外箱から個別に引き出すことができるスライドケースに関する。
【背景技術】
【０００２】
従来、この種のスライドケースとして、特許文献１や特許文献２のケースが提案されている。
【０００３】
特許文献１に記載のケースは、外箱の内部に１個の中箱を収納し、この中箱を外箱の開口部から揺動自在にスライドせしめるものである。このケースでは、中箱の下端部を外箱の内部下端面に接着することで中箱の上端部を揺動せしめ、この上端部を外箱の開口部から突出するように設けたものである。
【０００４】
一方、特許文献２に記載のケースは、サイドオープンカートンと称するケースで、外箱となる本体部の側面に引き出し部を揺動自在に設け、本体部側面の開口部を施蓋するように本体部と引き出し部とが一体に形成されている。そして、引き出し部の内部に収納物を収納しておき、開口部から揺動した引き出し部から収納物を取り出すようにしたものである。
【特許文献１】特開平１０‐３５６４５号公報
【特許文献２】特開２００２‐１２８１７６号公報
【考案の開示】
【考案が解決しようとする課題】
【０００５】
これら各特許文献に記載の各ケースは、いずれも１個の外箱に対して１個の中箱又は引き出し部を収納するものである。そのため、中箱に仕切りを設けて収納物を区別することはできても、この中箱を複数の収納物ごとに個別に使用することはできない。
【０００６】
また、特許文献１の中箱は、外箱と中箱とを別体に形成した後、中箱の下端部を外箱内部の下面に接着するものなので、これら中箱と外箱との接着作業に手間を要する不都合がある。しかも、外箱に中箱が接着された後は、外箱内から中箱を取り出すことができなくなるので、中箱内の収納物の出し入れが難しくなる場合もある。
【０００７】
一方、特許文献２の引き出し部は、一枚のブランクで本体部と一体に形成されている。そのため、本体部と引き出し部との組み立て作業がむずかしくなり、しかも、引き出し部を本体部から取り出すことができないので、引き出し部内の収納物の出し入れにも課題を残すものであった。
【０００８】
そこで本考案は、上述の課題を解消すべく案出されたもので、外箱から中箱を揺動自在にスライドさせるスライドケースにおいて、複数の中箱を収納することができ、しかも各中箱を個別に取り出すことが可能になり、これらの中箱を収納物ごとに独立させて利用することができるスライドケースの提供を目的とするものである。
【課題を解決するための手段】
【０００９】
上述の目的を達成するため、本考案の第１の手段は、一方の側面に開口部１１を設けた外箱１０と、該外箱１０の開口部１１の下端部に支点を設けて揺動自在に連結され、外箱１０内部に収納したときに外箱１０の開口部１１を施蓋する中箱２０とからなるスライドケースにおいて、外箱１０の開口部１１の下端部に横並びに設けられた揺動自在な連結片１２が複数個の支点として設けられ、該連結片１２を複数個の中箱２０の各支点位置に開口された連結孔２１に挿入して各中箱２０を揺動自在に連結し、外箱１０から各中箱２０の上部を引き出して開口部１１を開いたときに各中箱２０が外箱１０開口部１１の上端部内側に設けた係止片１３に係止するように設けたことにある。
【００１０】
第２手段の前記係止片１３は、前記外箱１０の開口部１１上端から開口部１１内部方向に屈曲延長され、一方、前記中箱２０において前記連結孔２１を設けた同側縁の対極位置に係合片２２が突設され、外箱１０から各中箱２０の上部を引き出して開口部１１を開いたときに該係合片２２が外箱１０の係止片１３に係脱自在に係止するように設けている。
【００１１】
第３の手段は、前記外箱１０と前記中箱２０とは、外箱用ブランクＡと中箱用ブランクＢとがそれぞれ折畳まれることで形成され、前記連結片１２と前記係止片１３とは外箱用ブランクＡに形成され、前記係合片２２は中箱用ブランクＢに形成されている。
【００１２】
第４の手段の前記中箱２０は、略帯状の底板２３と、該底板２３の長手両側縁から屈曲延長された略扇状の前後側板２４と、底板２３の一端から略直角上方に位置し前後側板２４のいずれか一方の一端部から屈曲延長された側板２５と、前後側板２４の他方の一端部から延長されたのりしろ片２６とからなり、のりしろ片２６を側板２５に接着して該側板２５に対向する側面から上面にかけて開口した中箱を形成し、側板２５の下端部に前記連結孔２１を開口すると共に、側板２５の上端部に前記係合片２２を延長形成したものである。
【００１３】
第５の手段の前記外箱１０は、略矩形状の天板１４と、該天板１４の前後側縁から屈曲延長された前後側板１５と、該前後側板１５の一方の下端縁から延長された底板１６と、前後側板１５の他方の下端縁から延長されたのりしろ片１７とからなり、のりしろ片１７を底板１６に接着して少なくとも一方の側面に開口部１１を有する外箱１０が形成され、天板１４の前記開口部１１がわに前記係止片１３を屈曲延長し、底板１６の開口部１１がわに前記連結片１２を横並びに形成している。
【００１４】
第６の手段の前記外箱１０は、前記天板１４の一端から下方に延長され前記開口部１１に対向する側面がわに傾斜する上部側板１８と、該上部側板１８の傾斜に沿った形状の前後側板１５と、該前後側板１５のいずれか一方の一端部から屈曲延長され上部側板１８の下端部に重合する下部側板１９と、前後側板１５の他方の一端部から屈曲延長され下部側板１９を係止する係止舌片１９Ａとを有し、該係止舌片１９Ａを下部側板１９に係止して上部側板１８と下部側板１９とを固定することで、外箱１０内に収納した前記中箱２０の開口した側面から上面に沿って囲むように設けられたことを課題解消のための手段とする。
【考案の効果】
【００１５】
本考案の請求項１により、外箱１０の開口部１１の下端部に横並びに設けられた揺動自在な連結片１２が複数個の支点として設けられ、該連結片１２を複数個の中箱２０の各支点位置に開口された連結孔２１に挿入して各中箱２０を揺動自在に連結したことにより、外箱１０内に複数の中箱を個別に収納することができる。したがって、これらの中箱２０を収納物ごとに独立させて利用することができるようになった。
【００１６】
また、連結片１２を複数個の中箱２０の各支点位置に開口された連結孔２１に挿入して各中箱２０を揺動自在に連結するので、外箱１０と中箱２０とを別体に形成していても、従来の接着手段に比べてこれらの連結作業が極めて容易になるものである。
【００１７】
請求項２に記載の中箱２０によると、中箱２０の係合片２２が外箱１０の係止片１３に係脱自在に係止するように設けているので、外箱１０と中箱２０との連結作業をより簡単にすることができる。この結果、中箱２０から外箱１０を取り出すことも簡単に行えるようになり、各中箱２０内の収納物も簡単に取り出すことができる。したがって、線香やペンのような棒状物からCD、DVD等の円形状の収納物にいたるまで収納することができる。また、各中箱２０を独立した容器として使用することも可能になり、中箱２０ごとに収納物を分類することもできるので用途が広がる効果もある。
【００１８】
請求項３、４、５によると、本考案ケースを外箱用ブランクＡと中箱用ブランクＢとから折畳み形成することができる。したがって、安価な提供が可能になり、使用後には自然環境に優しい廃棄処理作業となる。
【００１９】
請求項６では、外箱１０の形状として、上部側板１８と下部側板１９とで、外箱１０内に収納した前記中箱２０の開口した側面から上面に沿って囲むように設けているので、ユニークな形状のケースを提供することができる。しかも、外箱１０が中箱２０に沿ったコンパクトな形状になるので、使用時等において無駄なスペースを要しない。
【００２０】
このように本考案によると、外箱から中箱を揺動自在にスライドさせるスライドケースにおいて、複数の中箱を収納することができ、しかも各中箱を個別に取り出すことが可能になり、これらの中箱を収納物ごとに独立させて利用することができるなどといった実用上有益な種々の効果を奏するものである。
【考案を実施するための最良の形態】
【００２１】
本考案の最良の形態は、一方の側面に開口部１１を設けた外箱１０を設ける。外箱１０の開口部１１の下端部に横並びに設けられた揺動自在な連結片１２を複数個の支点として設ける。この連結片１２に揺動自在に連結され、外箱１０内部に収納したときに外箱１０の開口部１１を施蓋する中箱２０を設ける。外箱１０から各中箱２０の上部を引き出して開口部１１を開いたときに各中箱２０が外箱１０開口部１１の上端部に係止するように設ける。係止片１３は、前記外箱１０の開口部１１上端から開口部１１内部方向に屈曲延長された略帯状に形成する。中箱２０上端部に係合片２２を突設し、中箱２０が外箱１０の開口部１１から揺動して外に表出したときに該係合片２２が外箱１０の係止片１３に係脱自在に係止するように設けることで、当初の目的を達成するものである。
【実施例】
【００２２】
本考案ケースの基本構成は、外箱１０と中箱２０とからなり、これらは各別に設けられている。そして、外箱１０内部に複数個の中箱２０を収納したときに外箱１０の開口部１１を中箱２０が施蓋するものである（図２、図３参照）。
【００２３】
外箱１０は、一方の側面に開口部１１が設けられ、該外箱１０の開口部１１の下端部に、複数の連結片１２を横並びに設けて中箱２０を揺動せしめる際の支点としている（図１参照）。
【００２４】
一方、中箱２０は、外箱１０内に横並びに収納されるように複数個形成されている。図示の中箱２０は、中箱２０ごとに収納できるようにしているが、各中箱２０の内部に仕切り(図示せず)等を設けて収納部を更に細分化することも可能である。そして、中箱２０の各支点位置に連結孔２１を開口し、この連結孔２１に連結片１２を挿入して各中箱２０を揺動自在に連結する（図１参照）。図示の連結片１２は略舌片状を成し、基端部に括れ部１２Ａを有するものである。一方、連結孔２１にもこの括れ部１２Ａに嵌合する嵌合スリット２１Ａを設けてある。このような連結片１２を連結孔２１に差し込むことで、連結片１２の抜け止め作用と揺動作用とを促進するものである。そして、外箱１０から各中箱２０の上部を引き出して開口部１１を開いたときに、各中箱２０が外箱１０開口部１１の上端部内側に設けた係止片１３に係止するものである（図１、図４参照）。
【００２５】
図示の係止片１３は、外箱１０の開口部１１上端から開口部１１内部方向に屈曲延長された略帯状を成している（図１参照）。一方、係合片２２は、中箱２０の連結孔２１を設けた同側縁の対極位置に突設したもので、外箱１０から各中箱２０の上部を引き出して開口部１１を開いたとき、すなわち中箱２０を揺動して外に表出せしめたときに、該係合片２２が外箱１０の係止片１３に係脱自在に係止するように設けたものである（図４参照）。
【００２６】
外箱１０と中箱２０とは、外箱用ブランクＡと中箱用ブランクＢとをそれぞれ折畳むことで形成することができる（図５、図６参照）。図示例の中箱２０は、底板２３、前後側板２４、側板２５、のりしろ片２６からなる中箱用ブランクＢを折畳んだものである（図６参照）。底板２３は略帯状をなし、該底板２３の長手両側縁から略扇状の前後側板２４が屈曲延長されている。側板２５は、底板２３の一端から略直角上方に位置するもので、前後側板２４のいずれか一方の一端部から屈曲延長された側板２５に、前後側板２４の他方の一端部から延長されたのりしろ片２６を接着する。そうすると、側板２５に対向する側面から上面にかけて開口した中箱２０が形成される。そして、側板２５の下端部に前記連結孔２１を開口すると共に、側板２５の上端部に前記係合片２２を延長形成している。また、図示の中箱２０は、外箱１０収納時に、底板２３の端部が開口部１１の上端部に係止するように設けている（図２参照）。こうすることで、底板２３の端部に指をかけて中箱２０を操作することが容易になり、開口部１１を施蓋したときに各中箱２０が整列するので見栄えを良くすることもできる（図２参照）。
【００２７】
一方、図示例の外箱１０は、基本構成として、天板１４、前後側板１５、底板１６、のりしろ片１７、上部側板１８、下部側板１９を形成した外箱用ブランクＡを折畳むものである（図５参照）。天板１４は、略矩形状を成し、該天板１４の前後に位置する側縁から前後側板１５が屈曲延長される。更に、該前後側板１５のいずれか一方の下端縁から延長された底板１６と、前後側板１５の他方の下端縁から延長されたのりしろ片１７とが形成されている。そして、のりしろ片１７を底板１６に接着すると、少なくとも一方の側面に開口部１１を有する外箱１０が形成される（図２参照）。尚、図５に示す外箱用ブランクＡでは、前後側板１５を補強する補強片１５Ａと、底板１６を補強する補強片１６Ａとを形成している。
【００２８】
上部側板１８は、天板１４の一端から下方に延長され開口部１１に対向する側面がわに傾斜するように設けられている（図５参照）。また、下部側板１９は、前後側板１５のいずれか一方の一端部から屈曲延長され、上部側板１８の下端部に重合するように設けている。このとき、前後側板１５を上部側板１８の傾斜に沿った形状に形成している。更に、前後側板１５の他方の一端部から屈曲延長され下部側板１９を係止する係止舌片１９Ａを設け、該係止舌片１９Ａを下部側板１９に係止すると、上部側板１８と下部側板１９とが固定される。この結果、外箱１０は、外箱１０内に収納した前記中箱２０の開口した側面から上面に沿って囲むように設けられることになる（図３参照）。図５に示す外箱用ブランクＡでは、上部側板１８を連結する連結片１８Ａと、下部側板１９を連結する連結片１９Ｂとを形成してあり、この連結片１９Ｂに挿入孔１９Ｃを形成し、この挿入孔１９Ｃに前記係止舌片１９Ａを差し込むように設けている。
【００２９】
本考案を使用するには、外箱１０の連結片１２を中箱２０の連結孔２１に差込み、係合片２２を係止片１３の内側に係合させて外箱１０と中箱２０とを組み合わせる（図１参照）。このとき、中箱２０の中に収容物(図示せず)を予め収納した状態で組み合わせることも可能である。外箱１０に組み合わせた中箱２０は、連結片１２を支点として中箱２０を揺動させることで、中箱２０の収納物を外箱１０内に収納し（図３参照）、あるいは外箱１０内から中箱２０を引き出して収納物を取り出すことができる（図４参照）。この収納物は、中箱２０から直接取り出すほか、係止片１３に係合している係合片２２を係止片１３から外すことで、中箱２０ごと外箱１０から取り出すことも可能になる。この場合、取り出した中箱２０は、個々の収納容器として利用することができる。
【００３０】
尚、図示例の各構成は、本考案の一実施例に過ぎず、外箱１０や中箱２０の材質を合成樹脂材等他の材質に変更することが可能であり、また、外箱用ブランクＡや中箱用ブランクＢを変更して外箱１０や中箱２０の外観形状やサイズなどの設計変更も可能であるなど、本考案の要旨を変更しない範囲において自由に変更することができる。
【図面の簡単な説明】
【００３１】
【図１】本考案の一実施例を示す分解斜視図である。
【図２】本考案の収納状態を示す斜視図である。
【図３】本考案の収納状態を示す縦断面図である。
【図４】本考案の展開状態を示す縦断面図である。
【図５】本考案の外箱用ブランクの一実施例を示す展開図である。
【図６】本考案の中箱用ブランクの一実施例を示す展開図である。
【符号の説明】
【００３２】
Ａ  外箱用ブランク
Ｂ  中箱用ブランク
１０  外箱
１１  開口部
１２  連結片
１２Ａ  括れ部
１３  係止片
１４  天板
１５  前後側板
１５Ａ  補強片
１６  底板
１６Ａ  補強片
１７  のりしろ片
１８  上部側板
１８Ａ  連結片
１９  下部側板
１９Ａ  係止舌片
１９Ｂ  連結片
１９Ｃ  挿入孔
２０  中箱
２１  連結孔
２１Ａ  嵌合スリット
２２  係合片
２３  底板
２４  前後側板
２５  側板
【図１】
0003136547.tif 000003
【図２】
0003136547.tif 000004
【図３】
0003136547.tif 000005
【図４】
0003136547.tif 000006
【図５】
0003136547.tif 000007
【図６】
0003136547.tif 000008